(57)【特許請求の範囲】
【請求項１】
１以上の接続機器に対して、パワー状態を要求するコマンドを送信し、前記コマンドに対するレスポンスを受信する通信手段と、
前記レスポンスに基づき、１以上の接続機器のパワー状態を記憶する記憶手段と、
第１のキーの操作に対応してパワーオン状態の第１の接続機器に関する情報を第１の表示形式で示す第１の表示情報、及びパワーオフ状態の第２の接続機器に関する情報を第２の表示形式で示す第２の表示情報を含む接続機器選択メニューを出力する出力手段と、
前記第１のキーの操作に対応した前記接続機器選択メニューの出力後にパワーオン状態の前記第１の接続機器の入力を選択し、前記第１のキーの操作に対応した前記接続機器選択メニューの出力後の第２のキーの操作に対応してパワーオフ状態の前記第２の接続機器の入力を選択する制御手段と、
を備える電子機器。
【請求項２】
前記出力手段は、第１回目の前記第１のキーの操作に対応して前記接続機器選択メニューを出力し、
前記制御手段は、第１回目の前記第１のキーの操作から所定時間経過後に前記第１の接続機器の入力を選択する請求項１の電子機器。
【請求項３】
前記制御手段は、第１回目の前記第１のキーの操作から所定時間経過前の第２回目の前記第１のキーの操作から所定時間経過後にパワーオン状態の第３の接続機器の入力を選択する請求項２の電子機器。
【請求項４】
前記制御手段は、第１回目の前記第１のキーの操作から所定時間経過前の第１回目の前記第２のキーの操作から所定時間経過後に前記第２の接続機器の入力を選択する請求項３の電子機器。
【請求項５】
前記記憶手段は、前記第１及び第３の接続機器がパワーオン状態であることを示す第１のパワー状態情報と、前記第２の接続機器がパワーオフ状態であることを示す第２のパワー状態情報とを記憶する請求項３又は４の電子機器。
【請求項６】
前記通信手段は、間接的に接続された１以上の接続機器に対して、前記コマンドを送信し、前記レスポンスを受信する請求項１乃至５の何れか１つの電子機器。
【請求項７】
前記通信手段は、直接的に接続された１以上の接続機器及び間接的に接続された１以上の接続機器に対して、前記コマンドを送信し、前記レスポンスを受信する請求項１乃至５の何れか１つの電子機器。
【請求項８】
前記制御手段は、前記選択に対応して、現在の入力を選択された前記入力へ切り換える請求項１乃至７の何れか１つの電子機器。
【請求項９】
前記出力手段は、第１回目の前記第１のキーの操作に対応して前記接続機器選択メニューを表示し、第１回目の前記第１のキーの操作から所定時間経過後に前記第１の接続機器の入力を表示し、第１回目の前記第１のキーの操作から所定時間経過前の第２回目の前記第１のキーの操作から所定時間経過後にパワーオン状態の第３の接続機器の入力を表示し、第１回目の前記第１のキーの操作から所定時間経過前の第１回目の前記第２のキーの操作から所定時間経過後に前記第２の接続機器の入力を表示する請求項１乃至８の何れか１つの電子機器。
【請求項１０】
１以上の接続機器に対して、パワー状態を要求するコマンドを送信し、前記コマンドに対するレスポンスを受信し、
前記レスポンスに基づき、１以上の接続機器のパワー状態を記憶し、
第１のキーの操作に対応してパワーオン状態の第１の接続機器に関する情報を第１の表示形式で示す第１の表示情報、及びパワーオフ状態の第２の接続機器に関する情報を第２の表示形式で示す第２の表示情報を含む接続機器選択メニューを出力し、
前記第１のキーの操作に対応してパワーオン状態の前記第１の接続機器の入力を選択し、第２のキーの操作に対応してパワーオフ状態の前記第２の接続機器の入力を選択する入力切換方法。
【請求項１１】
第１回目の前記第１のキーの操作に対応して前記接続機器選択メニューを出力し、
第１回目の前記第１のキーの操作に対応して所定時間経過後に前記第１の接続機器の入力を選択する請求項１０の入力切換方法。
【請求項１２】
第１回目の前記第１のキーの操作から所定時間経過前の第２回目の前記第１のキーの操作から所定時間経過後にパワーオン状態の第３の接続機器の入力を選択する請求項１１の入力切換方法。
【請求項１３】
第１回目の前記第１のキーの操作から所定時間経過前の第１回目の前記第２のキーの操作から所定時間経過後に前記第２の接続機器の入力を選択する請求項１２の入力切換方法。
【請求項１４】
第１回目の前記第１のキーの操作に対応して前記接続機器選択メニューを表示し、第１回目の前記第１のキーの操作から所定時間経過後に前記第１の接続機器の入力を表示し、第１回目の前記第１のキーの操作から所定時間経過前の第２回目の前記第１のキーの操作から所定時間経過後にパワーオン状態の第３の接続機器の入力を表示し、第１回目の前記第１のキーの操作から所定時間経過前の第１回目の前記第２のキーの操作から所定時間経過後に前記第２の接続機器の入力を表示する請求項１０乃至１３の何れか１つの入力切換方法。
【発明の詳細な説明】
【技術分野】
【０００１】
本発明の実施形態は、電子機器及び入力切換方法に関する。
【背景技術】
【０００２】
近年、High-Definition Multimedia Interface（ＨＤＭＩ）を搭載したデジタル機器、例えばデジタルＴＶ、デジタルプレイヤー、及びデジタルレコーダが普及している。例えば、デジタルＴＶは、複数のＨＤＭＩ端子を備え、複数のＨＤＭＩケーブルを介して、複数のデジタル機器と接続することができる。
【０００３】
ユーザは、リモートコントローラによりデジタルＴＶをコントロールすることができ、また、リモートコントローラによりデジタルＴＶの入力を切り換えることもできる。デジタルＴＶが、デジタルプレイヤー及びデジタルレコーダと接続している場合、デジタルＴＶは、リモートコントローラからの入力切換指示に応じて、デジタルＴＶの現在の入力（例えばデジタル放送入力）をデジタルプレイヤーからの入力に切り換え、次の入力切換指示に応じて、デジタルプレイヤーからの入力をデジタルレコーダからの入力に切り換える。このように、デジタルＴＶは、リモートコントローラからの入力切換指示に応じて、入力を順に切り換えることができる。
【先行技術文献】
【特許文献】
【０００４】
【特許文献１】特開２００８−８５７０３号公報
【発明の概要】
【発明が解決しようとする課題】
【０００５】
例えば、デジタルＴＶに接続されたデジタルプレイヤーがパワーオフ状態の場合に、デジタルＴＶが、リモートコントローラからの入力切換指示に応じて、現在の入力をパワーオフ状態のデジタルプレイヤーからの入力に切り換えてしまうことがある。また、パワーオフ状態のデジタルプレイヤーが、パワーオン状態のＡＶアンプ等を介してデジタルＴＶに接続されている場合に、デジタルＴＶが、リモートコントローラからの入力切換指示に応じて、現在の入力をパワーオン状態のＡＶアンプからの入力（つまりパワーオフ状態のデジタルプレイヤーからの入力）に切り換えてしまうことがある。
【０００６】
本発明の目的は、接続機器のパワー状態に応じた入力選択（入力切換）が可能な電子機器及び入力選択方法を提供することである。
【課題を解決するための手段】
【０００７】
実施形態の電子機器は、通信手段と、記憶手段と、制御手段とを備える。前記通信手段は、１以上の接続機器に対して、パワー状態を要求するコマンドを送信し、前記コマンドに対するレスポンスを受信する。前記記憶手段は、前記レスポンスに基づき、１以上の接続機器のパワー状態を記憶する。前記制御手段は、前記パワー状態に基づき、第１の入力切換操作に対応してパワーオン状態の接続機器の入力を選択する。
【図面の簡単な説明】
【０００８】
【図１】実施形態に係る電子機器（テレビジョン放送受信装置）と接続機器との接続の一例を示す図である。
【図２】ＨＤＭＩの端子のピン配列の一例を示す図である。
【図３】実施形態に係る電子機器（テレビジョン放送受信装置）の構成の一例を示す図である。
【図４】入力切換制御の一例を示すフローチャートである。
【図５】入力切換制御に対応して表示される切換画面の第１例を示す図である。
【図６】入力切換制御に対応して表示される切換画面の第２例を示す図である。
【図７】切換メニュー画面の一例を示す図である。
【発明を実施するための形態】
【０００９】
以下、実施形態について図面を参照して説明する。
【００１０】
図１は、実施形態に係る電子機器と接続機器との接続の一例を示す図である。図１に示すように、例えば、テレビジョン放送受信装置１００（電子機器）は、複数のＨＤＭＩを備え、これら複数のＨＤＭＩ及び複数のＨＤＭＩケーブルを介して、複数の接続機器と接続することができる。例えば、テレビジョン放送受信装置１００は、ＨＤＭＩ１、ＨＤＭＩ２、ＨＤＭＩ３を備え、テレビジョン放送受信装置１００のＨＤＭＩ１は、ＨＤＭＩケーブルを介して、ＡＶアンプ２００（接続機器）と接続する。
【００１１】
例えば、ＡＶアンプ２００は、ＨＤＭＩ１−１、ＨＤＭＩ１−２を備え、スピーカＳ１、Ｓ２と接続する。ＡＶアンプ２００のＨＤＭＩ１−１は、ＨＤＭＩケーブルを介して、ＢＤプレイヤ３００（接続機器）と接続する。言い換えれば、テレビジョン放送受信装置１００とＢＤプレイヤ３００とは、間接的に接続されている。また、ＡＶアンプ２００のＨＤＭＩ２−１は、ＨＤＭＩケーブルを介して、ＢＤレコーダ４００（接続機器）と接続する。言い換えれば、テレビジョン放送受信装置１００とＢＤレコーダ４００とは、間接的に接続されている。
【００１２】
ＡＶアンプ２００は、ＨＤＭＩ１−１により、ＢＤプレイヤ３００からの映像音声信号を入力し、音声信号をスピーカＳ１、Ｓ２へ出力し、映像信号をテレビジョン放送受信装置１００のＨＤＭＩ１へ出力する。また、ＡＶアンプ２００は、ＨＤＭＩ１−２により、Ｂレコーダ４００からの映像音声信号を入力し、音声信号をスピーカＳ１、Ｓ２へ出力し、映像信号をテレビジョン放送受信装置１００のＨＤＭＩ１へ出力する。
【００１３】
さらに、テレビジョン放送受信装置１００のＨＤＭＩ２は、ＨＤＭＩケーブルを介して、ＢＤプレイヤ５００（接続機器）と接続する。言い換えれば、テレビジョン放送受信装置１００とＢＤプレイヤ５００とは、直接的に接続されている。また、テレビジョン放送受信装置１００のＨＤＭＩ３は、ＨＤＭＩケーブルを介して、ＢＤレコーダ６００（接続機器）と接続する。言い換えれば、テレビジョン放送受信装置１００とＢＤレコーダ６００とは、直接的に接続されている。
【００１４】
テレビジョン放送受信装置１００のＨＤＭＩ２は、ＢＤプレイヤ５００からの映像音声信号を入力し、映像音声信号を出力する。また、テレビジョン放送受信装置１００のＨＤＭＩ３は、ＢＤレコーダ６００からの映像音声信号を入力し、映像音声信号を出力する。
【００１５】
図２は、ＨＤＭＩの端子のピン配列の一例を示す図である。本実施形態で説明するＨＤＭＩの端子は、例えば図２に示すようなピン配列を備えている。例えば、ピン番号１３は、ＣＥＣ（Consumer Electronics Control），ピン番号１５は、ＳＣＬ（Serial data Clock Line）、ピン番号１６は、ＳＤＡ（Serial Data Analyzer）、ピン番号１８は、＋５Ｖパワーである。
【００１６】
図３は、テレビジョン放送受信装置１００の構成の一例を示す図である。図３に示すように、例えば、テレビジョン放送受信装置１００は、放送信号入力端子１１２、チューナ１１３、ＰＳＫ（Phase Shift Keying）復調器１１４、ＴＳ復号器１１５、放送信号入力端子１２２、チューナ１２３、ＯＦＤＭ（Orthogonal Frequency Division Multiplexing）復調器１２４、ＴＳ（Transport Stream)復号器１２５、信号処理モジュール１３０、音声処理モジュール１３１、スピーカ１３２、音声出力端子１３３、映像処理モジュール１４１、ディスプレイ１４２、映像出力端子１４３、制御モジュール１５０、ＲＯＭ１５１、ＲＡＭ１５２、不揮発性メモリ１５３、パワー状態管理部１５４、操作モジュール１６１、受光モジュール１６２、リモートコントローラ１６３、ＨＤＤ１７０、ＨＤＭＩ１、ＨＤＭＩ２、ＨＤＭＩ３を備える。
【００１７】
放送信号入力端子１１２は、アンテナ１１１からの放送信号を入力し、チューナ１１３は、放送信号から所定チャンネル信号を選択し、所定チャンネル信号は、ＰＳＫ復調器１１４による復調、ＴＳ復号器１１５による復号を経て、信号処理モジュール１３０に入力される。信号処理モジュールは、復調復号された信号に含まれる音声信号を音声処理モジュール１３１へ出力し、復調復号された信号に含まれる映像信号を映像処理モジュール１４１へ出力する。音声処理モジュール１３１は、音声信号をアナログ信号へ変換し、スピーカ１３２を介して外部へ出力する。映像処理モジュール１４１は、例えば映像信号を高画質化処理し、ディスプレイ１４２に入力する。ディスプレイ１４２は、映像信号に応じた映像を表示する。また、放送信号入力端子１２２は、アンテナ１２１からの放送信号を入力し、放送信号は、チューナ１２３、ＯＦＤＭ復調器１２４、及びＴＳ復号器１２５を経て、外部へ出力される。
【００１８】
制御モジュール１５０は、操作モジュール１１６からの信号、又はリモートコントローラ１６３からの信号を検出し、検出した信号に基づき各種動作を制御する。制御モジュール１５０の制御に従い、上記したように映像、音声が出力されたり、入力が切り換えられたりする。
【００１９】
例えば、リモートコントローラ１６３は、入力切換キー１６３ａ、方向キー（上、下、左、右）１６３ｂ、決定キー１６３ｃ等を備える。入力切換キー１６３ａの押下に対応し、リモートコントローラ１６３は入力切換を通知し、制御モジュール１５０は通知された入力切換に基づき入力切換制御を実行する。また、方向キー１６３ｂの押下に対応し、リモートコントローラ１６３は方向を通知し、制御モジュール１５０は通知された方向に基づき方向指定制御を実行する。また、決定キー１６３ｃの押下に対応し、リモートコントローラ１６３は決定を通知し、制御モジュール１５０は通知された決定に基づき動作決定制御を実行する。
【００２０】
なお、操作モジュール１１６も、入力切換キー、方向キー、決定キー等を備え、各キーの押下に対応し、制御モジュール１５０は、入力切換制御、方向指定制御、及び動作決定制御を実行する。
【００２１】
以下、図１及び図３に示すテレビジョン放送受信装置１００（電子機器）による入力切換制御の一例について説明する。
【００２２】
制御モジュール１５０は、ＨＤＭＩ１に対するＨＤＭＩケーブルの挿入の有無、及びＨＤＭＩ１に対する信号の有無を検出することができる。同様に、制御モジュール１５０は、ＨＤＭＩ２に対するＨＤＭＩケーブルの挿入の有無、及びＨＤＭＩ１に対する信号の有無を検出することができる。同様に、制御モジュール１５０は、ＨＤＭＩ３に対するＨＤＭＩケーブルの挿入の有無、及びＨＤＭＩ１に対する信号の有無を検出することができる。ＨＤＭＩケーブルの挿入の有無については、例えば、ハードウェアの構成を利用し検出することができる。また、信号の有無については、ＴＭＤＳデータ又はクロックラインからの信号をデコードして映像信号の有無を検出する方法を利用することができる。
【００２３】
不揮発性メモリ１５３は、上記検出の結果を記憶する。例えば、ＨＤＭＩ１に対してＨＤＭＩケーブルが挿入され（ＨＤＭＩケーブル挿入有り）、且つ信号が入力されている場合（信号有り）、ＨＤＭＩ１を優先選択端子と称する。また、ＨＤＭＩ１に対してＨＤＭＩケーブルが挿入されていない場合（ＨＤＭＩケーブル挿入無し）、ＨＤＭＩ１を選択不能端子と称する。また、ＨＤＭＩ１に対して信号が入力されていない場合（信号無し）、ＨＤＭＩ１を選択可能端子と称する。
【００２４】
制御モジュール１５０は、上記ケーブルの挿入の有無及び信号の有無に基づき、入力切換キー１６３ａの押下に対応し、第１の入力切換制御を実行し、優先選択端子からの入力を選択する。例えば、ＨＤＭＩ１とＨＤＭＩ２が優先選択端子、ＨＤＭＩ３が選択不能端子であれば、制御モジュール１５０は、１回目の入力切換キー１６３ａの押下に対応し、ＨＤＭＩ１の入力を選択し、現在の入力（例えば放送信号入力端子１１２又は１２２のＤＴＶ入力）をＨＤＭＩ１の入力へ切り換える。また、制御モジュール１５０は、２回目の入力切換キー１６３ａの押下に対応し、ＨＤＭＩ２の入力を選択し、現在の入力（ＨＤＭＩ１の入力）をＨＤＭＩ２の入力へ切り換える。また、制御モジュール１５０は、３回目の入力切換キー１６３ａの押下に対応し、ＨＤＭＩ３の入力を選択せず、次の入力（例えば放送信号入力端子１１２又は１２２の入力）へ切り換える。
【００２５】
なお、ＨＤＭＩ１、２、３が優先選択端子であれば、制御モジュール１５０は、入力切換キー１６３ａの押下に対応し、現在の入力（例えば放送信号入力端子１１２又は１２２のＤＴＶ入力ＤＴＶ）をＨＤＭＩ１の入力に切り換え、次の入力切換キー１６３ａの押下に対応し、現在の入力（ＨＤＭＩ１の入力）をＨＤＭＩ２の入力に切り換え、次の入力切換キー１６３ａの押下に対応し、現在の入力（ＨＤＭＩ２の入力）をＨＤＭＩ３の入力に切り換え、次の入力切換キー１６３ａの押下に対応し、現在の入力（ＨＤＭＩ３の入力）を初期の入力（例えば放送信号入力端子１１２又は１２２のＤＴＶ入力）に切り換える。
【００２６】
制御モジュール１５０は、上記第１の入力切換制御により、不必要な入力切換を実行しない。
【００２７】
さらに制御モジュール１５０は、接続機器のパワー状態から、第２の入力切換制御を実行することもできる。例えば、制御モジュール１５０は、全ての接続機器（直接的に接続された接続機器及び間接的に接続された接続機器）に対して、パワー状態を要求するコマンドを送信し、このコマンドに対するレスポンスを受信し、このレスポンスに基づき全ての接続機器のパワー状態を記憶（認識）し、パワー状態に基づき、入力切換操作（入力切換キー１６３ａの押下）に対応してパワーオン状態の接続機器の入力を選択する。
【００２８】
上記コマンドの一例として、ＨＤＭＩ ＣＥＣ規格の<Give Device Power Status>を利用することができる。接続機器が、ＨＤＭＩ ＣＥＣ Ｖ１．３以上に対応していれば、テレビジョン放送受信装置１００は、接続機器に対して<Give Device Power Status>を送信し、接続機器の現在のパワー状態がパワーオン状態なのかパワーオフ状態なのかという情報を問い合わせることができる。テレビジョン放送受信装置１００は、接続機器から返信される<Report Power Status>に基づき、接続機器のパワー状態を認識することができる。
【００２９】
不揮発性メモリ１５３は、接続機器からの<Report Power Status>を記憶する。例えば、
ＢＤプレイヤ３００が、パワーオン状態（Power On）を返信し、ＢＤレコーダ４００がパワーオフ状態（Power Off）を返信し、ＢＤプレイヤ５００が、パワーオン状態（Power On）を返信し、ＢＤレコーダ６００がパワーオフ状態（Power Off）を返信したとする。制御モジュール１５０は、ＢＤプレイヤ３００が接続されたＨＤＭＩ１−１を優先選択端子と判定し、ＢＤレコーダ４００が接続されたＨＤＭＩ１−１を選択可能端子と判定し、ＢＤプレイヤ５００が接続されたＨＤＭＩ２を優先選択端子と判定し、ＢＤレコーダ６００が接続されたＨＤＭＩ３を優先選択端子と判定する。
【００３０】
制御モジュール１５０は、接続機器のパワー状態（上記判定結果）に基づき、入力切換キー１６３ａの押下に対応し、第２の入力切換制御を実行し、優先選択端子からの入力を選択する。制御モジュール１５０は、１回目の入力切換キー１６３ａの押下に対応し、ＨＤＭＩ１−１の入力を選択し、現在の入力（例えば放送信号入力端子１１２又は１２２のＤＴＶ入力）をＨＤＭＩ１−１の入力へ切り換える。また、制御モジュール１５０は、２回目の入力切換キー１６３ａの押下に対応し、ＨＤＭＩ１−２の入力選択をスキップし、ＨＤＭＩ２の入力を選択し、現在の入力をＨＤＭＩ２の入力へ切り換える。また、制御モジュール１５０は、３回目の入力切換キー１６３ａの押下に対応し、ＨＤＭＩ３の入力選択をスキップし、次の入力を選択し、現在の入力を次の入力へ切り換える。
【００３１】
図５は、上記第２の入力切換制御に対応して表示される切換画面の第１例を示す図である。図６は、上記第２の入力切換制御に対応して表示される切換画面の第２例を示す図である。図７は、切換メニュー画面の呼び出し操作に対応して表示される切換メニュー画面の一例を示す図である。
【００３２】
図５又は図６に示すように、テレビジョン放送受信装置１００の映像処理モジュール１４１は、入力切換キー１６３ａの押下（第１の入力切換操作）による第２の入力切換制御の実行に対応し、パワーオン状態の相手機器を第１の表示形式（例えば第１の色）で表示するための第１の表示情報を出力し、パワーオフ状態の相手機器を第２の表示形式（例えば第２の色）で表示するための第２の表示情報を出力する。これに対応してディスプレイ１４２は、パワーオン状態の相手機器を第１の表示形式（例えば第１の色）で表示し、パワーオフ状態の相手機器を第２の表示形式（例えば第２の色）で表示する。上記した１回目の入力切換キー１６３ａの押下に対応し、ディスプレイ１４２は、ＨＤＭＩ１−１の入力が選択された状態を表示し、制御モジュール１５０は、所定時間経過後に、或いは決定キー１６３ｃの押下により、現在の入力（ＤＴＶ入力）をＨＤＭＩ１−１の入力へ切り換える。所定時間経過前に、再度、入力切換キー１６３ａが押下されると、制御モジュール１５０は、上記した２回目の入力切換キー１６３ａの押下と判断し、ディスプレイ１４２は、ＨＤＭＩ２の入力が選択された状態を表示し、制御モジュール１５０は、所定時間経過後に、或いは決定キー１６３ｃの押下により、現在の入力をＨＤＭＩ２の入力へ切り換える。即ち、入力切換キー１６３ａにより、パワーオフ状態の接続機器をスキップし、パワーオン状態の接続機器を選択することができる。
【００３３】
また、図５又は図６に示す切換画面が表示された状態（例えばＨＤＭＩ１−１の入力が選択された状態）で、方向キー（下）１６３ｂの押下（第２の入力切換操作）に対応し、ディスプレイ１４２は、ＨＤＭＩ１−２の入力が選択された状態を表示し、制御モジュール１５０は、所定時間経過後に、或いは決定キー１６３ｃの押下により、現在の入力をＨＤＭＩ１−２の入力へ切り換える。ＨＤＭＩ１−２に接続されたＢＤレコーダ４００はパワーオフ状態であるが、制御モジュール１５０はＢＤレコーダ４００に対してパワーオンを通知し、これに対応して、ＢＤレコーダ４００はパワーオン状態となる。即ち、方向キー１６３ｂにより、パワーオン状態の接続機器及びパワーオフ状態の接続機器の何れも選択することができる。例えば、テレビジョン放送受信装置１００は、パワーオフ状態の接続機器の選択操作に対応して、パワーオフ状態の接続機器に対してパワーオンを指示することができる。
【００３４】
或いは、図７に示すような切換メニュー画面においても、入力切換キー１６３ａの押下に対応し、パワーオフ状態の接続機器をスキップし、パワーオン状態の接続機器を選択することができるし、方向キー（右）１６３ｂの押下に対応し、パワーオン状態の接続機器及びパワーオフ状態の接続機器の何れも選択することができる。
【００３５】
図１に示すように、テレビジョン放送受信装置１００が、直接的に相手機器と接続している場合、及び間接的に相手機器と接続している場合の何れでも、上記第２の入力切換制御は有効である。上記コマンドにより、テレビジョン放送受信装置１００は、テレビジョン放送受信装置１００に直接的に接続された相手機器のパワー状態を検出することもできるし、間接的に接続された相手機器のパワー状態を検出することもできるので、全ての接続機器のパワー状態に応じた効率的な入力切換が可能となる。
【００３６】
次に、上記コマンドによる相手機器のパワー状態の問い合わせのタイミングについて説明する。例えば、図４のフローチャートに示すように、制御モジュール１５０が、入力切換キー１６３ａの押下に対応し、相手機器にパワー状態を問い合わせることができる(ＳＴ１)。相手機器がパワーオフ状態であれば(ＳＴ２、ＮＯ)、制御モジュール１５０は、切り換えをスキップし(ＳＴ３)、次の相手機器にパワー状態を問い合わせる(ＳＴ１)。次の相手機器がパワーオン状態であれば(ＳＴ２、ＹＥＳ)、制御モジュール１５０は、次の相手機器からの入力を選択し、次の相手機器の入力に切り換える(ＳＴ４)。
【００３７】
或いは、制御モジュール１５０は、事前に、全ての接続機器にパワー状態を問い合わせ、事前に、不揮発性メモリ１５３が全ての接続機器のパワー状態を記憶し、入力切換キー１６３ａの押下に対応し、記憶したパワー状態を参照し、パワーオン状態の接続機器の入力を選択することもできる。例えば、制御モジュール１５０は、起動時に、全ての接続機器に対してパワー状態を問い合わせ、不揮発性メモリ１５３のデータベースに全ての接続機器のパワー状態を記憶する。また、制御モジュール１５０は、定期的（ｎ秒間隔又はｍ分間隔）に、全ての接続機器にパワー状態を問い合わせ、不揮発性メモリ１５３のデータベースを定期的に更新する。これにより、入力切換時間を短縮することができる。
【００３８】
なお、ＢＤプレイヤ３００、ＢＤレコーダ４００、ＢＤプレイヤ５００、ＢＤレコーダ６００がパワーオン状態であれば、制御モジュール１５０は、入力切換キー１６３ａの押下に対応し、現在の入力（例えば放送信号入力端子１１２の入力）をＨＤＭＩ１−１の入力に切り換え、次の入力切換キー１６３ａの押下に対応し、現在の入力（ＨＤＭＩ１−１の入力）をＨＤＭＩ１−２の入力に切り換え、次の入力切換キー１６３ａの押下に対応し、現在の入力（ＨＤＭＩ１−２の入力）をＨＤＭＩ２の入力に切り換え、次の入力切換キー１６３ａの押下に対応し、現在の入力（ＨＤＭＩ２の入力）をＨＤＭＩ３の入力に切り換え、次の入力切換キー１６３ａの押下に対応し、現在の入力（ＨＤＭＩ３の入力）を初期の入力（例えば放送信号入力端子１１２の入力）に切り換える。
【００３９】
なお、上記したパワーオン状態とは起動状態（第１の電力を消費する状態）を意味し、パワーオフ状態とは待機状態（第１の電力より低い第２の電力を消費する状態）を意味する。
【００４０】
上記第２の入力切換制御により、以下の作用効果が得られる。
【００４１】
（１）テレビジョン放送受信装置１００は、直接的に接続されたパワーオン状態の接続機器及び間接的に接続されたパワーオン状態の接続機器を優先選択候補として提示することができる。言い換えると、テレビジョン放送受信装置１００は、直接的に接続されたパワーオフ状態の接続機器及び間接的に接続されたパワーオフ状態の接続機器の選択をスキップして、パワーオン状態の接続機器を選択することができる。つまり、テレビジョン放送受信装置１００は、映像、音声が出力可能な状態の接続機器を優先選択候補として提示し、映像、音声が出力可能な状態の接続機器の優先選択を実現することができる。これにより、無駄のない素早い切り替えをリーズナブルに実現することができる。
【００４２】
（２）テレビジョン放送受信装置１００は、直接的に接続されたパワーオフ状態の接続機器及び間接的に接続されたパワーオフ状態の接続機器を選択可能候補として提示することができる。また、テレビジョン放送受信装置１００は、パワーオフ状態の接続機器も選択することができる。
【００４３】
なお、上記したモジュールとは、ハードウェアで実現するものであっても良いし、ＣＰＵ等を使ってソフトウェアで実現するものであってもよい。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
以下、本願の出願当初の特許請求の範囲に記載された発明を付記する。
（１）
１以上の接続機器に対して、パワー状態を要求するコマンドを送信し、前記コマンドに対するレスポンスを受信する通信手段と、
前記レスポンスに基づき、１以上の接続機器のパワー状態を記憶する記憶手段と、
前記パワー状態に基づき、第１の入力切換操作に対応してパワーオン状態の接続機器の入力を選択する制御手段と、
を備える電子機器。
（２）
前記記憶手段は、第１の接続機器がパワーオン状態であることを示す第１のパワー状態情報と、第２の接続機器がパワーオフ状態であることを示す第２のパワー状態情報とを記憶し、
前記選択手段は、前記第１の入力切換操作に対応して前記第１の接続機器の入力を選択し、前記第２の接続機器の入力を選択しない（１）の電子機器。
（３）
前記記憶手段は、第３の接続機器がパワーオン状態であることを示す第３のパワー状態情報を記憶し、
前記選択手段は、前記第１の入力切換操作に対応して前記第１の接続機器の入力を選択し、次の前記第１の入力切換操作に対応して前記第３の接続機器の入力を選択する（２）の電子機器。
（４）
前記第１の入力切換操作に対応して、前記第１及び第３の接続機器に関する情報を第１の表示形式で表示する第１の表示情報を出力する出力手段を備える（３）の電子機器。
（５）
前記出力手段は、前記第１の入力切換操作に対応して、前記第２の接続機器に関する情報を第２の表示形式で表示する第２の表示情報を出力する（４）の電子機器。
（６）
前記選択手段は、第２の入力切換操作に対応して前記第２の接続機器の入力を選択する（２）乃至（５）の何れか１つの電子機器。
（７）
前記通信手段は、間接的に接続された１以上の接続機器に対して、前記コマンドを送信し、前記レスポンスを受信する（１）乃至（６）の何れか１つの電子機器。
（８）
前記通信手段は、直接的に接続された１以上の接続機器及び間接的に接続された１以上の接続機器に対して、前記コマンドを送信し、前記レスポンスを受信する（１）乃至（６）の何れか１つの電子機器。
（９）
前記制御手段は、前記選択に対応して、現在の入力を選択された前記入力へ切り換える（１）乃至（８）の何れか１つの電子機器。
（１０）
１以上の接続機器に対して、パワー状態を要求するコマンドを送信し、前記コマンドに対するレスポンスを受信し、
前記レスポンスに基づき、１以上の接続機器のパワー状態を記憶し、
前記パワー状態に基づき、第１の選択操作に対応してパワーオン状態の接続機器の入力を選択する入力切換方法。
【符号の説明】
【００４５】
１００…テレビジョン放送受信装置、１５０…制御モジュール、１、２、３…ＨＤＭＩ
【図１】
0005377701.tif 000002
【図２】
0005377701.tif 000003
【図３】
0005377701.tif 000004
【図４】
0005377701.tif 000005
【図５】
0005377701.tif 000006
【図６】
0005377701.tif 000007
【図７】
0005377701.tif 000008